(57)【要約】【課題】  一対の透明基板間に封入されたコレステリック液晶の向きを変化させて一定方向に統一させることができる。【解決手段】  一対の透明基板２０、２１間に封入されるコレステリック液晶２８を挟んで対向すると共に一対の透明基板２０、２１における各対向面のほぼ全域に対応する一対の透明な全面電極２２、２３と、これら一対の全面電極２２、２３に対し絶縁膜２４、２５で絶縁された状態で部分的に対応すると共にコレステリック液晶２８を挟んで対向する一対の透明な表示電極２６、２７とを備えた。従って、一対の全面電極２２、２３に電圧を印加することにより、全てのコレステリック液晶２８の分子の向きを変化させて一定方向に統一させることができ、この状態で一対の表示電極２６、２７に選択的に電圧を印加することにより、電圧が印加された部分に対応するコレステリック液晶２８の分子の向きを変えて情報を表示することができる。【選択図】        図９
2006178255.tif 000002
【特許請求の範囲】
【請求項１】
互いに対向する一対の透明基板と、
これら一対の透明基板間に封入されるコレステリック液晶と、
このコレステリック液晶を挟んで対向すると共に前記一対の透明基板における各対向面のほぼ全域に対応する一対の透明な全面電極と、
これら一対の全面電極に対し相互に絶縁された状態で部分的に対応すると共に前記コレステリック液晶を挟んで対向する一対の透明な表示電極と
を備えたことを特徴とする表示装置。
【請求項２】
前記一対の全面電極と前記一対の表示電極とにそれぞれ所定時間ごとに電圧を印加して前記コレステリック液晶を駆動制御する駆動制御手段を備えていることを特徴とする請求項１に記載の表示装置。
【請求項３】
前記一対の全面電極に電圧を印加させて前記コレステリック液晶を駆動制御するための電気信号を出力するスイッチ手段を備えていることを特徴とする請求項１または２に記載の表示装置。
【請求項４】
前記一対の透明基板のうち、裏面側に位置する前記透明基板の裏面側にはソーラパネルが配置されていることを特徴とする請求項１〜３のいずれかに記載の表示装置。
【請求項５】
前記透明基板と前記ソーラパネルとの間には半透過層が設けられていることを特徴とする請求項４に記載の表示装置。
【発明の詳細な説明】
【技術分野】
【０００１】
この発明は、電子時計やＰＤＡ（パーソナル・デジタル・アシスタント）などの電子機器に用いられる表示装置に関し、更に詳しくは、コレステリック液晶を用いた表示装置に関する。
【背景技術】
【０００２】
例えば、電子腕時計に用いられている表示装置においては、ツイストネマティック液晶（ＴＮ液晶）やスーパツイストネマティック液晶（ＳＴＮ液晶）を一対の透明な電極基板間に封入した液晶表示素子を用いて、時刻などの情報を電気光学的に表示するように構成されている。この種の表示装置では、情報を書き替えるために、一対の透明な電極基板に連続的に電圧を印加して液晶表示素子を駆動する必要があるため、継続した電力供給を行う必要があり、余分な電力を消費してしまう。
【０００３】
このような問題を回避するために、コレステリック液晶を用いて液晶表示素子を構成することにより、電源供給が断たれる直前に表示されていた情報を、電源供給が断たれた後も表示し、電力消費を軽減する表示装置が開発されている。すなわち、この表示装置は、一対の透明基板間にコレステリック液晶を封入すると共に、一対の透明基板の対向面に透明なドット電極を各対向面のほぼ全域に配列させて形成した、所謂フルドット表示タイプになっている。
【特許文献１】特開２００４−１３２９６８号公報
【０００４】
このようなフルドット表示タイプの表示装置では、コレステリック液晶が封入される一対の透明基板の対向面におけるほぼ全域に透明なドット電極をマトリックス状に多数形成しているため、電極端子が増大し、駆動素子も大規模なものになり、製造コストが高くなるという問題がある。特に、電子腕時計に用いられる表示装置では、時刻や日付、あるいは曜日などの情報を表示すれば良いので、必ずしもフルドット表示タイプである必要はなく、一対の透明基板の対向面に透明なセグメント電極を表示に必要な領域に部分的に設けた、所謂セグメント表示タイプで十分である。
【発明の開示】
【発明が解決しようとする課題】
【０００５】
しかしながら、このようなコレステリック液晶を用いたセグメント表示タイプの表示装置では、一対の透明基板の対向面に透明なセグメント電極を表示に必要な領域に部分的に設けた構成であるから、セグメント電極間に対応する部分のコレステリック液晶の向きを電圧印加によって変化させることはできるが、セグメント電極間に対応しない背景部分に相当する部分のコレステリック液晶の向きを変えることができないという問題がある。
【０００６】
すなわち、一対の透明基板間に封入されたコレステリック液晶は、その分子が無秩序な方向を向いているため、ばらばらでまばらな表示色になる。このため、この表示装置では、予め外部から磁場を印加して、全ての液晶分子の向きを一定方向に統一させ、この状態で表示用の電極に電圧を印加して液晶分子の向きを変えることにより、統一された表示色の背景の中に異なる表示色で時刻などの情報を表示している。しかし、この表示装置では、急激な温度変化や、外部からの強い磁場などの外部環境の影響を受けると、コレステリック液晶の分子の向きが再び無秩序な状態に変わってしまうという問題がある。
【０００７】
また、このようなセグメント表示タイプの表示装置では、セグメント電極の全てに対応する部分つまり表示領域における全ての点灯可能な部分において、セグメント電極の一部を点灯させて情報を表示させた際、点灯されないセグメント電極に対応する非点灯部分が点灯部分と異なる色で表示されるという問題があるほか、セグメント電極が設けられていない背景部分が点灯部分と非点灯部分との両者に対して異なる色で表示されるため、表示された情報が見にくくなるという問題もある。
【０００８】
このため、このようなセグメント表示タイプの表示装置においては、セグメント電極に対応しない背景部分と、セグメント電極で情報を表示するときに点灯しない非点灯部分とを同じ表示色にするために、セグメント電極に対応する表示部分を除いて表面側の透明基板に目隠し用の印刷を施すと共に、裏面側の透明基板の全面にも同じ色の目隠し用の印刷を施す必要があり、このため色彩やデザインが制約を受けるので、色彩性およびデザイン性に欠けるという問題が生じる。
【０００９】
この発明が解決しようとする課題は、一対の透明基板間に封入されたコレステリック液晶の向きを変化させて一定方向に統一させることができる表示装置を提供することである。
【課題を解決するための手段】
【００１０】
この発明は、上記課題を解決するために、次のような構成要素を備えている。
なお、各構成要素には、後述する各実施形態の項で説明される各要素に付されている図面の参照番号などを括弧と共に付す。
【００１１】
請求項１に記載の発明は、図１〜図１１に示すように、互いに対向する一対の透明基板（２０、２１）と、これら一対の透明基板間に封入されるコレステリック液晶（２８）と、このコレステリック液晶を挟んで対向すると共に前記一対の透明基板における各対向面のほぼ全域に対応する一対の透明な全面電極（２２、２３）と、これら一対の全面電極に対し相互に絶縁された状態で部分的に対応すると共に前記コレステリック液晶を挟んで対向する一対の透明な表示電極（２６、２７）とを備えたことを特徴とする表示装置である。
【００１２】
請求項２に記載の発明は、図１〜図９に示すように、前記一対の全面電極（２２、２３）と前記一対の表示電極（２６、２７）とにそれぞれ所定時間ごとに電圧を印加して前記コレステリック液晶（２８）を駆動制御する駆動制御手段（ＣＰＵ３１および表示駆動回路３３）を備えていることを特徴とする請求項１に記載の表示装置である。
【００１３】
請求項３に記載の発明は、図１〜図９に示すように、前記一対の全面電極（２２、２３）に電圧を印加させて前記コレステリック液晶（２８）を駆動制御するための電気信号を出力するスイッチ手段（スイッチ部３４）を備えていることを特徴とする請求項１または２に記載の表示装置である。
【００１４】
請求項４に記載の発明は、図１〜図１１に示すように、前記一対の透明基板（２０、２１）のうち、裏面側に位置する前記透明基板（２１）の裏面側にソーラパネル（２９）が配置されていることを特徴とする請求項１〜３のいずれかに記載の表示装置である。
【００１５】
請求項５に記載の発明は、図１０および図１１に示すように、前記透明基板（２１）と前記ソーラパネル（２９）との間に半透過層（半透過シート４１）が設けられていることを特徴とする請求項４に記載の表示装置である。
【発明の効果】
【００１６】
請求項１に記載の発明によれば、一対の透明基板間に封入されるコレステリック液晶を挟んで対向すると共に一対の透明基板における各対向面のほぼ全域に対応する一対の透明な全面電極と、これら一対の全面電極に対し相互に絶縁された状態で部分的に対応すると共にコレステリック液晶を挟んで対向する一対の透明な表示電極とを備えているので、一対の透明な全面電極に電圧を印加することにより、全てのコレステリック液晶の分子の向きを変化させて一定方向に統一させることができ、この状態で一対の透明な表示電極に選択的に電圧を印加することにより、電圧が印加された部分に対応するコレステリック液晶の分子の向きを変えて情報を表示することができる。
【００１７】
このため、例えば急激な温度変化や、外部からの強い磁場によってコレステリック液晶の分子が無秩序な状態に変わってしまっても、一対の透明な全面電極に電圧を印加することにより、全てのコレステリック液晶の分子の向きを必要に応じて変化させて一定方向の向きに統一させることができる。この場合、例えば表示電極が全面電極に対し部分的に対応するセグメント電極であっても、そのセグメント電極に対応しない背景部分と、セグメント電極で情報を表示するときに点灯しない非点灯部分とを同じ表示色にすることができる。このため、従来例のように一対の透明基板の表面および裏面にそれぞれ同じ色の目隠し用の印刷を施さなくても、表示された情報を見やすくすることができると共に、色彩やデザインが制約を受けることがないので、色彩性およびデザイン性をも高めることができる。
【００１８】
請求項２に記載の発明によれば、一対の全面電極と一対の表示電極とにそれぞれ所定時間ごとに電圧を印加してコレステリック液晶を駆動制御する駆動制御手段を備えていることにより、例えば日付や曜日の情報を表示する場合、駆動制御手段によって１日に１回駆動制御するだけで良く、また急激な温度変化や、外部からの強い磁場によって、たびたびコレステリック液晶の分子の向きが無秩序な状態に変わる分けではないため、この場合にも駆動制御手段によって１日に１回程度、駆動制御すれば十分であり、これにより消費電力を大幅に軽減することができる。
【００１９】
請求項３に記載の発明によれば、一対の全面電極に電圧を印加させてコレステリック液晶を駆動制御するための電気信号を出力するスイッチ手段を備えているので、急激な温度変化や、外部からの強い磁場によって、コレステリック液晶の分子の向きが無秩序な状態に変わったときに、スイッチ手段を操作することにより、一対の全面電極に電圧を印加させてコレステリック液晶を駆動することができ、これによりコレステリック液晶の分子の向きを必要に応じて変化させて一定方向に統一させることができる。
【００２０】
請求項４に記載の発明によれば、一対の透明基板のうち、裏面側に位置する透明基板の裏面側にソーラパネルが配置されていることにより、外部光をソーラパネルに十分に照射させることができる。すなわち、従来のＴＮ液晶やＳＴＮ液晶を用いた場合には、一対の透明基板の表裏両面に偏光板を設ける必要があるため、光の透過率が大幅に低下するが、この発明では偏光板を用いる必要がないので、光の透過率が大幅に高くなり、これにより外部光を効率良くソーラパネルに照射させることができ、このためソーラパネルによって十分に発電することができる。
【００２１】
請求項５に記載の発明によれば、透明基板とソーラパネルとの間に半透過層が設けられていることにより、半透過層に色彩や模様を施すことができ、これにより表示を更に見やすくすることができると共に、デザイン的なバリエーションも豊富になり、装飾性に優れたものを得ることができる。この場合、透明基板とソーラパネルとの間に半透過層を設けても、この半透過層を外部光が透過するので、請求項４に記載の発明とほぼ同様、外部光をソーラパネルに良好に照射させてソーラパネルで発電することができる。
【発明を実施するための最良の形態】
【００２２】
（実施形態１）
以下、図１〜図９を参照して、この発明の表示装置を電子腕時計に適用した実施形態１について説明する。
図１はこの発明の電子腕時計を示した拡大正面図、図２はそのＡ−Ａ矢視における拡大断面図である。
この電子腕時計は、図１および図２に示すように、腕時計ケース１を備えている。
【００２３】
この腕時計ケース１の上部には、時計ガラス２が装着されており、この腕時計ケース１の内部には、図２に示すように、時計モジュール３が収納されている。また、この腕時計ケース１の下面には、裏蓋４が防水リング５を介してビス６により取り付けられており、この裏蓋４の内面には、圧電素子７が設けられている。さらに、腕時計ケース１の３時側および９時側の各側面には、図１に示すように、複数の押釦スイッチ８が設けられている。
【００２４】
腕時計ケース１内の時計モジュール３は、時刻などの情報を電気光学的に表示するデジタル機能と、文字板の上方を運針する指針によって時刻を指示するアナログ機能とのうち、少なくともデジタル機能を備えたものである。すなわち、この時計モジュール３は、図２に示すように、上部ハウジング１０と下ハウジング１１とを備えている。上部ハウジング１０内には、表示装置１２が時計ガラス２に対応して配置されており、下部ハウジング１１内には、電池１３が裏蓋４に対応して配置されている。
【００２５】
また、上部ハウジング１０と下部ハウジング１１との間には、回路基板１４が配置されており、この回路基板１４には、ＬＳＩなどの時計機能に必要な各種の電子部品１５が設けられている。また、この回路基板１４には、表示装置１２がインターコネクタ１６によって支持された状態で電気的に接続されていると共に、電池１３が電気的に接続されているほか、裏蓋４の圧電素子７がコイルばね１７によって電気的に接続されている。
【００２６】
表示装置１２は、図３に示すように、透明なガラスや透明な合成樹脂からなる上下一対の透明基板２０、２１を備えている。これら一対の透明基板２０、２１は、上下に互いに対向して配置されており、その各対向面におけるほぼ全域には、図３および図４に示すように、ＩＴＯなどの透明な導電性材料からなる上下一対の透明な全面電極２２、２３がそれぞれ形成されている。これら上下一対の透明な全面電極２２、２３の各対向面には、酸化シリコン（SiO2）などの透明な絶縁材料からなる透明な絶縁膜２４、２５がそれぞれ互いに対向して形成されている。
【００２７】
また、これら上下に対向する絶縁膜２４、２５の各対向面には、図３に示すように、ＩＴＯなどの透明な導電性材料からなる上下一対の透明な表示電極２６、２７が表示領域に対応して部分的に設けられている。これら上下一対の表示電極２６、２７のうち、上側の透明基板２０側に設けられた上側の表示電極２６は、図５および図６に示すように、日の字形状のセグメント電極に形成されており、下側の透明基板２１側に設けられた下側の表示電極２７は、日の字形状のセグメント電極である上側の表示電極２６に対応するコモン電極に形成に形成されている。
【００２８】
そして、上下一対の透明な表示電極２６、２７が設けられた上下一対の透明基板２０、２１間、つまり上下一対の透明基板２０、２１の各対向面側に設けられた絶縁膜２４、２５間には、図３に示すように、互いに対向する一対の表示電極２６、２７を介してコレステリック液晶２８が封入されている。このコレステリック液晶２８は、図３に示すように、複数のネマティック液晶を積層させた構成になっている。
【００２９】
すなわち、このコレステリック液晶２８の分子は、平面上に不斉炭素を基準として螺旋構造を有して並んでおり、その平面は互いに平行であるが、異なる平面上の分子の長軸は、異なった方向へ指向していて、互いの軸間に角度を形成している。この場合、同方向に指向している分子の長軸を有する２つの平行な平面間の距離がピッチと定義されている。このコレステリック液晶２８では、異なる電場を使用してピッチの長さを変化させることにより、異なった波長の光を選択的に反射して、種々の色を表示するように構成されている。
【００３０】
これら上下一対の透明基板２０、２１のうち、上側の透明基板２０の下面に全面電極２２、絶縁膜２４、および表示電極２６を順に積層させ、下側の電極基板２１の上面に全面電極２３、絶縁膜２５、および表示電極２７を順に積層させ、これら上下の透明基板２０、２１間にコレステリック液晶２８を封入することにより、液晶表示素子を構成している。この液晶表示素子は、上下の透明基板２０、２１間にコレステリック液晶２８が封入された状態では、図３に示すように、コレステリック液晶２８の分子が無秩序な方向を向いている。
【００３１】
また、この液晶表示素子は、図３に示すように、コレステリック液晶２８の分子の向きが無秩序な方向を向いている状態で、一対の全面電極２３、２４に所定の電圧を印加すると、図８に示すように、全てのコレステリック液晶２８の分子の向きが変化して一定方向に統一され、この状態で更に一対の表示電極２６、２７に選択的に電圧を印加すると、図９に示すように、その電圧が印加された点灯部分に対応するコレステリック液晶２８のみの分子の向きが変化し、これにより日付や曜日、時刻などの情報を表示するように構成されている。
【００３２】
このため、この液晶表示素子では、従来のＴＮ液晶やＳＴＮ液晶を用いた液晶表示素子のような偏光板が不要であるばかりか、配向膜も不要となる。また、この液晶表示素子は、コレステリック液晶２８の分子が、電源供給が断たれる直前の向きを、電源供給が断たれた後も維持することにより、電源供給が断たれる直前に表示されていた情報を、電源供給が断たれた後も表示するように構成されている。
【００３３】
また、この液晶表示素子の下側、つまり下側の透明基板２１の下面には、図２および図３に示すように、ソーラパネル２９が配置されている。このソーラパネル２９は、回路基板１４と電気的に接続され、この状態で外部からの光が液晶表示素子を透過して照射され、これにより起電力を発生して発電し、その発電した電力を電池１３と共に供給するように構成されている。
【００３４】
次に、この電子腕時計の回路構成について、図７に示すブロック図を参照して動作と共に説明する。発信器３０は、基準信号をＣＰＵ（中央演算装置）３１に出力する。ＣＰＵ３１は、入力された基準信号を分周して、計時カウント動作を行い、日付、曜日、時刻などの時刻データを得てメモリ３２に記憶する。メモリ３２は、ＣＰＵ３１からの指示に従って記憶した時刻データを表示駆動回路３３に送る。表示駆動回路３３は、送られた時刻データに基づいて表示装置１２に信号電圧を印加し、表示装置１２を駆動して日付、曜日、時刻などの情報を表示する。
【００３５】
この場合、表示駆動回路３３は、例えば日付や曜日のデータの場合には１日に１回駆動し、時、分、秒の時刻データのうち、時データの場合には１時間に１回、分データの場合には１分間に１回、秒データの場合には１秒に１回駆動するほか、１日に１回程度、全てのコレステリック液晶２８の分子の向きを変化させて一定方向に統一させるように構成されている。また、ＣＰＵ３１は、押釦スイッチ８などのスイッチ部３４からのスイッチ信号が入力されると、そのスイッチ信号に基づいて動作信号を表示駆動回路３３に送り、表示装置１２を駆動して全てのコレステリック液晶２８の分子の向きを変化させて一定方向に統一させる。
【００３６】
このような電子腕時計の表示装置１２では、一対の透明基板２０、２１間に封入されたコレステリック液晶２８を挟んで対向し、且つ一対の透明基板２０、２１における各対向面のほぼ全域に対応する一対の透明な全面電極２２、２３と、これら一対の全面電極２２、２３に対し絶縁膜２４、２５で相互に絶縁された状態で部分的に対応し、且つコレステリック液晶２８を挟んで対向する一対の透明な表示電極２６、２７とを備えているので、一対の透明な全面電極２２、２３に電圧を印加することにより、図８に示すように、全てのコレステリック液晶２８の分子の向きを変化させて一定方向に統一させることができ、この状態で一対の透明な表示電極２６、２７に選択的に電圧を印加することにより、図９に示すように、電圧が印加された部分に対応するコレステリック液晶２８の分子の向きを変えて情報を表示することができる。
【００３７】
この場合、急激な温度変化や、外部からの強い磁場によってコレステリック液晶２８の分子の向きが図３に示すように無秩序な状態に変わってしまっても、一対の透明な全面電極２２、２３に電圧を印加することにより、図８に示すように、全てのコレステリック液晶２８の分子を必要に応じて一定方向の向きに統一させることができる。特に、この表示装置１２では、表示電極２６、２７が全面電極２２、２３に対して部分的に設けられたセグメント電極であり、この表示電極２６、２７に対応しない背景部分と、表示電極２６、２７で情報を表示するときに点灯しない非点灯部分とを同じ表示色にすることができる。このため、従来例のように一対の透明基板のうち、表面側の透明基板と裏面側の透明基板とにそれぞれ同じ表示色の目隠し用の印刷を施さなくても、表示された情報を見やすくすることができると共に、色彩やデザインが制約を受けないため、色彩性およびデザイン性を高めることができる。
【００３８】
また、この表示装置１２によれば、一対の全面電極２２、２３と一対の表示電極２６、２７とにそれぞれ所定時間ごとに電圧を印加してコレステリック液晶２８を駆動制御する駆動制御手段であるＣＰＵ３１および表示駆動回路３３を備えていることにより、例えば日付や曜日の情報を表示する場合、駆動制御手段によって１日に１回駆動するだけで良く、また時、分、秒の時刻データのうち、時データは１時間に１回、分データは１分間に１回、秒データは１秒に１回駆動すれば良いので、消費電力を大幅に軽減することができる。この場合においても、急激な温度変化や、外部からの強い磁場によって、たびたびコレステリック液晶２８の分子の向きが無秩序な状態に変わる分けではないため、駆動制御手段によって１日に１回程度、駆動すれば十分であり、これによっても消費電力を大幅に軽減することができる。
【００３９】
特に、この表示装置１２では、一対の全面電極２２、２３に電圧を印加させてコレステリック液晶２８を駆動制御するための電気信号を出力するスイッチ部３４を備えているので、急激な温度変化や、外部からの強い磁場によって、図３に示すように、コレステリック液晶２８の分子の向きが無秩序な状態に変わったときに、スイッチ部３４を操作することにより、一対の全面電極２２、２３に電圧を印加させてコレステリック液晶２８を駆動することができ、これにより図８に示すようにコレステリック液晶２８の分子の向きを必要に応じて変化させて一定方向に統一させることができる。
【００４０】
さらに、この表示装置１２によれば、一対の透明基板２０、２１のうち、下側に位置する透明基板２１の下面側にソーラパネル２９が配置されていることにより、外部光をソーラパネル２９に十分に照射させることができる。すなわち、従来のＴＮ液晶やＳＴＮ液晶を用いた液晶表示素子の場合には、一対の透明基板の表裏両面に偏光板を設ける必要があるため、光の透過率が大幅に低下するが、この実施形態の表示装置１２では偏光板を用いる必要がないので、液晶表示素子における光の透過率が大幅に高くなり、このため液晶表示素子を通して外部光を効率良くソーラパネル２９に照射させることができ、これによりソーラパネル２９によって十分に発電することができる。
【００４１】
（実施形態２）
次に、図１０および図１１を参照して、この発明の表示装置を電子腕時計に適用した実施形態２について説明する。なお、図１〜図９に示された実施形態１と同一部分には同一符号を付して説明する。
この電子腕時計の表示装置４０は、図１１に示すように、コレステリック液晶２８を用いた液晶表示素子の下側、つまり下側の透明基板２１の下側に半透過シート４１を介してソーラパネル２９を設けた構成で、これ以外は実施形態１と同じ構成になっている。
【００４２】
すなわち、この表示装置４０は、実施形態１と同様に、上下一対の透明基板２０、２１のうち、上側の透明基板２０の下面に全面電極２２、絶縁膜２４、および表示電極２６を順に積層させ、下側の電極基板２１の上面に全面電極２３、絶縁膜２５、および表示電極２７を順に積層させ、これら上下の透明基板２０、２１間にコレステリック液晶２８を封入することにより、液晶表示素子が構成されている。この液晶表示素子の下側つまり下側の透明基板２１とソーラパネル２９との間に半透過シート４１が設けられており、この半透過シート４１は、光を透過するものであり、その上下面の少なくとも一方に模様や色彩が施されている。
【００４３】
このような電子腕時計の表示装置４０によれば、実施形態１と同様の作用効果があるほか、特に下側の透明基板２１とソーラパネル２９との間に半透過シート４１が設けられ、この半透過シートに色彩や模様が施されていることにより、表示された情報を更に見やすくすることができると共に、デザイン的なバリエーションも豊富になり、装飾性に優れたものを得ることができる。この場合、下側の透明基板２１とソーラパネル２９との間に半透過シート４１が設けられていても、この半透過シート４１を外部光が透過するので、実施形態１とほぼ同様、外部光をソーラパネル２９に照射させることができ、これによりソーラパネル２９で良好に発電することができる。
【００４４】
なお、上記実施形態１または２では、液晶表示素子が、上下一対の透明基板２０、２１の各対向面に全面電極２２、２３をそれぞれ形成し、これら各全面電極２２、２３の各対向面に絶縁膜２４、２５を介して表示電極２６、２７をそれぞれ部分的に形成し、これら各表示電極２６、２７を介して各絶縁膜２４、２５間にコレステリック液晶２８を封入した構成になっているが、これに限らず、例えば上下一対の透明基板２０、２１の各対向面に表示電極２６、２７をそれぞれ部分的に形成し、これら表示電極２６、２７を覆って上下一対の透明基板２０、２１の各対向面の全域に絶縁膜２４、２５をそれぞれ形成し、これら絶縁膜２４、２５の各対向面のほぼ全域に全面電極２２、２３をそれぞれ形成し、これら全面電極２２、２３間にコレステリック液晶２８を封入した構成でも良い。
【００４５】
また、上記実施形態１または２では、表示装置１２または４０で日付や曜日、時刻などの情報を表示するデジタル機能のみを備えた電子腕時計に適用した場合について述べたが、これに限らず、表示装置１２または４０で日付や曜日、時刻などの情報を表示するデジタル機能と、文字板の上方を運針する指針によって時刻を指示するアナログ機能との両方を備えた電子腕時計にも適用することができる。
【００４６】
さらに、上記実施形態１または２、およびその変形例では、電子腕時計に適用した場合について述べたが、これに限らず、例えばトラベルウォッチ、置き時計、目覚まし時計、掛け時計などの電子時計にも適用することができるほか、電子時計に限らず、電子辞書、携帯電話機、ＰＤＡなどの各種の電子機器の表示装置にも広く適用することができる。
【図面の簡単な説明】
【００４７】
【図１】この発明の表示装置を電子腕時計に適用した拡大正面図である。（実施形態１）
【図２】図１のＡ−Ａ矢視における拡大断面図である。
【図３】図２の表示装置の要部を示した拡大断面図である。
【図４】図３の表示装置における全面電極を示した平面図である。
【図５】図３の表示装置における表示電極を示した平面図である。
【図６】図２の表示装置による時刻表示状態を示した平面図である。
【図７】図１の電子腕時計の回路構成を示したブロック図である。
【図８】図３の表示装置において上下一対の全面電極に所定の電圧を印加した状態を示した要部の拡大断面図である。
【図９】図８の表示装置において上下一対の表示電極に選択的に所定の電圧を印加した状態を示した要部の拡大断面図である。
【図１０】この発明の表示装置を電子腕時計に適用した要部の拡大断面図である。（実施形態２）
【図１１】図１０の表示装置の要部を示した拡大断面図である。
【符号の説明】
【００４８】
１  腕時計ケース
３  時計モジュール
８  押釦スイッチ
１２、４０  表示装置
２０、２１  透明基板
２２、２３  全面電極
２４、２５  絶縁膜
２６、２７  表示電極
２８  コレステリック液晶
２９  ソーラパネル
３１  ＣＰＵ
３３  表示駆動回路
３４  スイッチ部
４１  半透過シート
【図１】
2006178255.tif 000003
【図２】
2006178255.tif 000004
【図３】
2006178255.tif 000005
【図４】
2006178255.tif 000006
【図５】
2006178255.tif 000007
【図６】
2006178255.tif 000008
【図７】
2006178255.tif 000009
【図８】
2006178255.tif 000010
【図９】
2006178255.tif 000011
【図１０】
2006178255.tif 000012
【図１１】
2006178255.tif 000013